【事件の表示】
　特願２０１７−５１８５２０「電子会議装置及びその制御方法、およびデジタルペン」拒絶査定不服審判事件〔平成２８年　４月１４日国際公開、ＷＯ２０１６／０５６７３３、平成２９年１１月３０日国内公表、特表２０１７−５３５８５１、請求項の数（９）〕について、次のとおり審決する。
【結　論】
　原査定を取り消す。
　本願の発明は、特許すべきものとする。
【理　由】
第１　手続の経緯
　本願は、２０１５年（平成２７年）７月１５日（パリ条約による優先権主張外国庁受理　２０１４年１０月７日　韓国）を国際出願日とする出願であって、その手続の経緯は次のとおりである。
　平成３０年　７月１３日　　：手続補正書の提出
　平成３１年　３月１８日付け：拒絶理由通知
　令和　元年　６月２５日　　：意見書、手続補正書の提出
　令和　元年　９月２４日付け：拒絶理由通知
　令和　２年　１月　６日　　：意見書、手続補正書の提出
　令和　２年　１月１６日付け：拒絶査定（原査定）
　令和　２年　５月２７日　　：審判請求書、手続補正書の提出
　令和　３年　４月２０日付け：拒絶理由（当審拒絶理由）通知
　令和　３年　７月２６日　　：意見書、手続補正書
第２　原査定の概要
　原査定（令和２年１月１６日付け拒絶査定）の概要は次のとおりである。
　本願請求項１ないし１０に係る発明は、以下の引用文献ＡないしＪに記載された発明に基いて、その発明の属する技術の分野における通常の知識を有する者（以下、「当業者」という。）が容易に発明をすることができたものであるから、特許法第２９条第２項の規定により特許を受けることができない。
［引用文献等一覧］
Ａ　特開２００１−３１２３４０号公報
Ｂ　特開２０１３−２５６５９号公報
Ｃ　特開２００１−２８２４４３号公報（周知技術を示す文献）
Ｄ　特開２０１４−１４６２３３号公報（周知技術を示す文献）
Ｅ　特開２０１２−２５２４５９号公報（周知技術を示す文献）
Ｆ　特開２０１２−１１２４５号公報（周知技術を示す文献）
Ｇ　特開２００２−２０７５６５号公報（周知技術を示す文献）
Ｈ　特開２０１４−１９１６６２号公報
Ｉ　特開２００１−３１３７６１号公報（周知技術を示す文献）
Ｊ　国際公開第２０１３／１２１４５５号（周知技術を示す文献）
第３　当審拒絶理由の概要
　当審拒絶理由の概要は次のとおりである。
［理由１］明確性要件違反
　本願請求項１ないし９に係る発明は、以下の点において明確ではないから、特許法第３６条第６項第２号に規定する要件を満たしていない。
（１）請求項１の記載において、「取得」される「手書き情報」と「獲得」される「手書き情報」とは、どのように異なるのか、明確ではない。
（２）請求項１に記載の「外部ディスプレイ装置」と「外部のディスプレイ装置」とは、同じものであるのか異なるものであるのか明確ではない。
（３）請求項１、２、４及び６の記載において、「手書き」が「入力」されるとは、日本語として明確ではない。
［理由２］進歩性欠如
　本願請求項１ないし９に係る発明は、以下の引用文献１ないし４に記載された発明に基いて、当業者が容易に発明をすることができたものであるから、特許法第２９条第２項の規定により特許を受けることができない。
［引用文献等一覧］
１　特開２００１−３１３７６１号公報（原査定の引用文献Ｉ）
２　特開２００１−３１２３４０号公報（原査定の引用文献Ａ）
３　国際公開第２０１３／１２１４５５号（原査定の引用文献Ｊ）
４　特開２０１４−１９１６６２号公報（原査定の引用文献Ｈ）
第４　本願発明
　本願請求項１ないし９に係る発明（以下、それぞれ「本願発明１」ないし「本願発明９」という。）は、令和３年７月２６日に提出された手続補正書に係る手続補正（以下、「本件補正」という。）により補正された特許請求の範囲の請求項１ないし９に記載された事項により特定される発明であり、このうち本願発明１は以下のとおりの発明である。なお、下線部は、本件補正により補正された箇所を示す。
「　デジタルペンと電子デバイスとを含む電子システムであって、
　前記デジタルペンは、
　　紙に手書き入力するための第１の手書き部と、
　　前記第１の手書き部によって前記手書き入力が紙に入力される間、前記デジタルペンのチップ部分に加えられる圧力を検知するための感圧センサと、
　　前記第１の手書き部によって前記手書き
入力
誘導磁界を発生するための第２の手書き部と、を含み、
　前記電子デバイスは、
　　センサ部であって、前記紙が前記センサ部上に配置される、センサ部と、
　　通信部と、
　　保存部と、
　　物理ボタンと、
　　ユーザモーションを検知するモーションセンサと、
　　前記感圧センサが前記圧力を検知する間、前記第２の手書き部によって発生された前記誘導磁界を検知する前記センサ部に基づいて、前記センサ部によって検知された前記誘導磁界に対応する手書き情報を取得する制御部と
　を含み、
　前記
取得
　　前記手書き情報をリアルタイムで伝送するように予め設定された場合、前記手書き情報が
取得
の
　　前記手書き情報をリアルタイムで伝送しないように予め設定された場合、前記手書き
入力
前記
の
の
、
　前記モーションセンサによってユーザが前記紙をめくるモーションが検知された場合、その紙をめくるモーションが検知された時点までに取得された前記手書き情報を保存し、前記第２の手書き部によって発生された誘導磁界が再び検知された場合、その誘導磁界に対応する手書き情報を新たな手書き情報として取得する
　なお、本願発明２ないし９は、本願発明１を減縮した発明であり、本願発明１の構成をすべて備えている。
第５　引用文献、引用発明等
１　引用文献１（引用文献Ｉ）について
（１）引用文献１記載事項
　当審拒絶理由に引用された引用文献１（原査定の引用文献Ｉ）には、図面とともに次の事項が記載されている。なお、下線は、強調のため当審が付与した。（以降においても同様。）
「【００３２】
【発明の実施の形態】以下、本発明の第１実施例について図１乃至図１２を参照して説明する。図２に示すように、
入力表示ボード（手書き入力データ表示装置、以下、単に入力表示装置と称す）１０（１）〜１０（３）は、主に、筆記シート上に描かれる手書き文字や図形などを座標データとして電気的に読取るための座標データ入力部（座標データ入力装置）１１と、この座標データ入力部１１が読み取った座標データに基づく文字等を表示するための表示部（表示装置）１２とで構成され
【００３３】システム全体の構成を示す図５において、これらの
入力表示ボード１０（１）〜１０（３）は通信回線（例えば、電話回線等）１３を介して互いに接続され
【００３４】座標データ入力部１１の詳細な構成は特願平１１−２２３５３０号に開示されているが、以下その概略を図２及び図３を参照して説明する。
座標データ入力部１１は、筆記パネル１４の筆記面にユーザがペン（データ入力手段）１５を用いて文字や図形などを筆記する構成である
筆記パネル１４は、枠状のフレーム１７に組み込まれ
そのフレーム１７の一側部には、ユーザが各種の操作入力を行うための操作部１８が設けられ
【００３５】図３に示すように、
筆記パネル１４は、筆記シート（例えば、ポリエチレンテレフタラート：ＰＥＴなどで構成される）１９、板状のパネル２０、センスコイル２１が敷設された枠形状の取付けパネル２２及び板状のバックパネル２３が順に積層されて構成され
センスコイル２１は、ユーザによってペン１５やイレーサ１６が筆記シート１９上で移動された場合のＸ、Ｙ座標を検出するためのＸコイル、Ｙコイルが夫々複数本互いに直交するように配置され
【００３６】図４は、ペン１５の内部構成を示す縦断面図である。
ペン１５は、円筒形状の胴体部２４の内部に、コイル２５と、
インクカートリッジ２６と、このインクカートリッジ２６に挿入されたペン先２７と、コイル２５から交番磁界を発生させるための発振回路などが搭載された回路基板２８と、この回路基板２８に電源を供給する電池２９とが配置され
【００３７】また、
インクカートリッジ２６と回路基板２８との間には、発振回路などに電源供給を行うための押しボタン式スイッチ３０が配置され
このスイッチ３０は、ペン先２７が筆記シート１９上に押しつけられて矢印Ｆ１方向に移動した場合にＯＮとなり、ペン１５によって筆記が行われる場合にコイル２５より交番磁界を発生させるようになっている
「【００４０】また、図１には、
入力表示ボード１０の電気的構成
ストロークデータ入力部（座標データ取得手段、制御手段）３１は、例えば、ＣＰＵ、ＲＯＭ及びＲＡＭ等のメモリ、コイル２５からの信号出力を切り替えるためのマルチプレクサ、信号増幅用のアンプ、Ａ／Ｄ変換器やＦＳＫ信号復調回路、時刻データ取得用のリアルタイムクロック（ＲＴＣ）ＩＣなどを含んで構成され
【００４１】
送信部（通信手段）３２は、ストロークデータ入力部３１において取得された座標データを、自身の受信部（通信手段）３３及び通信回線１３を介して他の入力表示ボード１０に送信するための通信インターフェイスである
受信部３３は、自身の送信部３２及び他の入力表示ボード１０より送信されたデータを受信するための通信インターフェイスである
受信部３３によって受信されたデータは、ストロークデータ記憶部（記憶手段）３４に書き込まれて記憶され
　
同期表示制御部（制御手段）３５は、受信部３３が受信してストロークデータ記憶部３４に記憶された座標データに基づく文字等をリアルタイムで表示部１２に表示させ
「【００４３】次に、本実施例の作用について図６乃至図１１をも参照して説明する。図６は、ユーザが、ペン１５を用いて座標データ入力部１１の筆記シート１９上に文字などを描こうとする場合に、ストロークデータ入力部３１が行う処理内容を示すフローチャートである。前述のように、
ユーザがペン１５のペン先２７を筆記シート１９上に押しつけると内部のスイッチ３０がＯＮとなり、コイル２５より交番磁界（ＦＳＫ変調信号）が発生する
【００４４】すると、
ストロークデータ入力部３１は、その交番磁界を受信することで手書き入力が開始されたと判断して
ペン１５により送信されるＦＳＫ変調信号の復調レベルに基づいて、ペン１５のＩＤ情報と入力開始地点の座標データとを取得する
…（中略）…
【００４６】
ペン１５より発生される交番磁界が座標データ入力部１１のコイル２５と磁気結合することで、コイル２５側に電圧信号が誘起され
ストロークデータ入力部３１は、コイル２５のＸコイル（Ｘ１、Ｘ２、…、Ｘｍ）に誘起されている電圧信号のレベルをＡ／Ｄ変換して順次読み込むように走査しそのレベルをメモリに記憶させ、それらの内最も高いレベルを示したＸコイルの位置によりＸ座標データを定め
続いて、ストロークデータ入力部３１は、コイル２５のＹコイル（Ｙ１、Ｙ２、…、Ｙｎ）についても、同様に誘起電圧信号のレベルをＡ／Ｄ変換して順次読み込むように走査して、Ｙ座標データを定め
すると、１つの座標データ（Ｘ、Ｙ）が求められ
【００４７】
以上のようにして入力開始点Ｐsの座標データを（ｘs、ｙs）を得ると、
手書き入力が終了していなければ
次回のサンプリング周期に達するのを待って
次の座標データ（ｘ１、ｙ１）を得
【００４８】
そして、
Ｐs、Ｐ１、Ｐ２、…の座標データを順次取得して行き、点Ｐeにおいて手書き入力が終了したと判断すると
点Ｐeを入力終了点とし、
入力開始点Ｐsから入力終了点Ｐeまでの所謂一筆書きのデータが１ストロークに相当する
【００４９】
それから、ストロークデータ入力部３１は、１ストローク分のデータの先頭部分に座標データ入力部１１のＩＤ（ボードＩＤ）及びペン１５のＩＤ（ペン属性）並びに入力開始時刻データを付し、その末尾部分には入力終了時刻データを付してパケットを作成して送信部３２に出力すると、
【００５０】ストロークデータ入力部３１が出力したデータパケットを受け取った
送信部３２は、
１ストローク分のデータパケットを送信する
［当審注］
　【００４６】に記載の「コイル
２５
２１
「【００５１】次に、図８は、
表示部１０
の
受信部３３は、
何れかの送信部３２よりデータ送信要求が発生しているか否かを確認し
前記要求が発生している場合は
データの受信処理を行う
【００５２】ステップＢ５において通信期間が終了すると（「ＹＥＳ」）、同期
表示制御部３５は、ストロークデータ記憶部３４に記憶されたデータのボードＩＤの数が幾つあるかを判断し、その数に応じて表示パネル１２ａの画面上における表示領域を分割する。例えば、ボードＩＤの数が”３”であれば、図９に示すように各ＩＤに対応して表示領域を３つに分割する（ステップＢ６）。そして、
各ボードＩＤに対応した表示領域に夫々の座標データに基づく文字等を表示させ
…（中略）…
【００５４】更に、
ペン１５のＩＤに基づいて、例えば、予め対応付けた表示色を（黒、青、赤など）適宜設定して文字列の表示を行う
「【００６６】更に、本実施例によれば、
ストロークデータ入力部３１は、座標データが取得される毎に順次データを送信し、同期表示制御部３５は、ストロークデータ入力部３１より順次送信されるデータに基づいて文字等を表示パネル１２ａにリアルタイムで表示するので、手書き入力された文字等は略リアルタイムで表示されるようになり、入力に対する表示の応答性が良好となる
「【００８８】また、
座標データ入力装置と表示装置を別個に構成しても良く、例えば、パソコンに表示部１２の機能を持たせても良い。或いは、複数の座標データ入力部１１に対し、表示部１２として大型のディスプレイを１つだけ用意して、各参加者が手書き入力した文字等を、共通のディスプレイを見ながら会議を進めるような形態でも良い
各会議室に１つずつ共通のディスプレイを配置しても良い
「【００８９】
座標データは、必ずしも１ストローク毎に送信する方式に限らず、送信スイッチなどを設けて、ユーザが一連の文字列を入力し終えた時点で送信スイッチをオン操作すると、それら一連の文字列の座標データをまとめて送信するようにしても良い
「【図１】
」
「【図２】
」
「【図３】
」
「【図４】
」
（２）引用発明
　引用文献１の【００３２】の記載によれば、引用文献１において、「入力表示ボード」と「手書き入力データ表示装置」と「入力表示装置」とは、同じものを意味するから、以降は、「手書き入力データ表示装置」に表記を統一する。　同様に、「座標データ入力部」と「座標データ入力装置」については「座標データ入力装置」に、「ペン」と「データ入力手段」については「ペン」に、また、「表示部」と「表示装置」については、「表示装置」に、それぞれ表記を統一する。
　引用文献１の【００３２】の記載によると、「手書き入力データ表示装置１０（１）〜１０（３）」の一つである「手書き入力データ表示装置１０（１）」の「座標データ入力装置１１」は、その筆記面にユーザが「ペン１５」を用いて文字、図形などのデータを筆記（入力）するものであるから、「手書き入力データ表示装置１０（１）」と「ペン１５」とが協働して「座標データ」を入力するものといえる。よって、「ペン１５」と「手書き入力データ表示装置１０（１）」とは、これらを含む「システム」を構成しているといえる。
　そうすると、前記アより、引用文献１（引用文献Ｉ）には、次の発明（以下、「引用発明」という。）が記載されていると認められる。
「　ペン１５と手書き入力データ表示装置１０（１）とを含むシステムであって、
　手書き入力データ表示装置１０（１）〜１０（３）は、主に、筆記シート上に描かれる手書き文字や図形などを座標データとして電気的に読取るための座標データ入力装置１１と、この座標データ入力装置１１が読み取った座標データに基づく文字等を表示するための表示装置１２とで構成され、
　手書き入力データ表示装置１０（１）〜１０（３）は通信回線（例えば、電話回線等）１３を介して互いに接続され、
　座標データ入力装置１１は、筆記パネル１４の筆記面にユーザがペン１５を用いて文字や図形などを筆記する構成であり、筆記パネル１４は、枠状のフレーム１７に組み込まれ、そのフレーム１７の一側部には、ユーザが各種の操作入力を行うための操作部１８が設けられ、
　筆記パネル１４は、筆記シート（例えば、ポリエチレンテレフタラート：ＰＥＴなどで構成される）１９、板状のパネル２０、センスコイル２１が敷設された枠形状の取付けパネル２２及び板状のバックパネル２３が順に積層されて構成され、センスコイル２１は、ユーザによってペン１５が筆記シート１９上で移動された場合のＸ、Ｙ座標を検出するためのＸコイル、Ｙコイルが夫々複数本互いに直交するように配置され、
　ペン１５は、円筒形状の胴体部２４の内部に、コイル２５と、インクカートリッジ２６と、このインクカートリッジ２６に挿入されたペン先２７と、コイル２５から交番磁界を発生させるための発振回路などが搭載された回路基板２８と、
この回路基板２８に電源を供給する電池２９とが配置され、
　インクカートリッジ２６と回路基板２８との間には、発振回路などに電源供給を行うための押しボタン式スイッチ３０が配置され、このスイッチ３０は、ペン先２７が筆記シート１９上に押しつけられて矢印Ｆ１方向に移動した場合にＯＮとなり、ペン１５によって筆記が行われる場合にコイル２５より交番磁界を発生させるようになっており、
　手書き入力データ表示装置１０の電気的構成として、
　　ストロークデータ入力部（座標データ取得手段、制御手段）３１は、例えば、ＣＰＵ、ＲＯＭ及びＲＡＭ等のメモリ、コイル２５からの信号出力を切り替えるためのマルチプレクサ、信号増幅用のアンプ、Ａ／Ｄ変換器やＦＳＫ信号復調回路、時刻データ取得用のリアルタイムクロック（ＲＴＣ）ＩＣなどを含んで構成され、
　　送信部（通信手段）３２は、ストロークデータ入力部３１において取得された座標データを、自身の受信部（通信手段）３３及び通信回線１３を介して他の手書き入力データ表示装置１０に送信するための通信インターフェイスであり、
　　受信部３３は、自身の送信部３２及び他の手書き入力データ表示装置１０より送信されたデータを受信するための通信インターフェイスであり、
　　受信部３３によって受信されたデータは、ストロークデータ記憶部（記憶手段）３４に書き込まれて記憶され、
　　同期表示制御部（制御手段）３５は、受信部３３が受信してストロークデータ記憶部３４に記憶された座標データに基づく文字等をリアルタイムで表示装置１２に表示させ、
　ユーザがペン１５のペン先２７を筆記シート１９上に押しつけると内部のスイッチ３０がＯＮとなり、コイル２５より交番磁界（ＦＳＫ変調信号）が発生し、ストロークデータ入力部３１は、その交番磁界を受信することで手書き入力が開始されたと判断して、ペン１５により送信されるＦＳＫ変調信号の復調レベルに基づいて、ペン１５のＩＤ情報と入力開始地点の座標データとを取得し、
　ペン１５より発生される交番磁界が座標データ入力装置１１のコイル２１と磁気結合することで、コイル２１側に電圧信号が誘起されると、ストロークデータ入力部３１は、コイル２１のＸコイル（Ｘ１、Ｘ２、…、Ｘｍ）に誘起されている電圧信号のレベルをＡ／Ｄ変換して順次読み込むように走査しそのレベルをメモリに記憶させ、それらの内最も高いレベルを示したＸコイルの位置によりＸ座標データを定め、続いて、ストロークデータ入力部３１は、コイル２１のＹコイル（Ｙ１、Ｙ２、…、Ｙｎ）についても、同様に誘起電圧信号のレベルをＡ／Ｄ変換して順次読み込むように走査して、Ｙ座標データを定め、すると、１つの座標データ（Ｘ、Ｙ）が求められ、
　以上のようにして入力開始点Ｐsの座標データを（ｘs、ｙs）を得ると、手書き入力が終了していなければ、次回のサンプリング周期に達するのを待って、次の座標データ（ｘ１、ｙ１）を得、
　そして、Ｐs、Ｐ１、Ｐ２、…の座標データを順次取得して行き、点Ｐeにおいて手書き入力が終了したと判断すると、点Ｐeを入力終了点とし、ここで、入力開始点Ｐsから入力終了点Ｐeまでの所謂一筆書きのデータが１ストロークに相当し、
　それから、ストロークデータ入力部３１は、１ストローク分のデータの先頭部分に座標データ入力装置１１のＩＤ（ボードＩＤ）及びペン１５のＩＤ（ペン属性）並びに入力開始時刻データを付し、その末尾部分には入力終了時刻データを付してパケットを作成して送信部３２に出力すると、次ストロークの入力開始を待ち、
　送信部３２は、１ストローク分のデータパケットを送信し、
　手書き入力データ表示装置１０の受信部３３は、何れかの送信部３２よりデータ送信要求が発生しているか否かを確認し、前記要求が発生している場合はデータの受信処理を行い、各ボードＩＤに対応した表示領域に夫々の座標データに基づく文字等を表示させ、ペン１５のＩＤに基づいて、例えば、予め対応付けた表示色を（黒、青、赤など）適宜設定して文字列の表示を行い、
　ストロークデータ入力部３１は、座標データが取得される毎に順次データを送信し、同期表示制御部３５は、ストロークデータ入力部３１より順次送信されるデータに基づいて文字等を表示パネル１２ａにリアルタイムで表示するので、手書き入力された文字等は略リアルタイムで表示されるようになり、入力に対する表示の応答性が良好となり、
　座標データ入力装置と表示装置を別個に構成しても良く、例えば、パソコンに表示装置１２の機能を持たせても良く、或いは、複数の座標データ入力装置１１に対し、表示装置１２として大型のディスプレイを１つだけ用意して、各参加者が手書き入力した文字等を、共通のディスプレイを見ながら会議を進めるような形態でも良く、各会議室に１つずつ共通のディスプレイを配置しても良い、
　座標データは、必ずしも１ストローク毎に送信する方式に限らず、送信スイッチなどを設けて、ユーザが一連の文字列を入力し終えた時点で送信スイッチをオン操作すると、それら一連の文字列の座標データをまとめて送信するようにしても良い、
　入力表示ボード。」
２　引用文献２ないし４について
（１）引用文献２（引用文献Ａ）について
　当審拒絶理由に引用された引用文献２（原査定の引用文献Ａ）には、図面とともに次の事項が記載されている。
「【００３９】図６及び図７は、本発明の第２の実施例を示すものである。尚、第１の実施例と同一部分には、同一符号を付している。この第２の実施例では、ディスプレイを手書き入力装置１４と別体とした。
【００４０】具体的には、図６に示すように、手書き入力装置１４の内部には、ディスプレイは設けられておらず、
外部のディスプレイ１５が
接続されている
、手書き入力装置１４のタブレット４は、その上面に記入用紙１６を載置した状態で該記入用紙１６の上から手書き入力を実行するように構成され
【００４１】上記第２の実施例の場合、
ユーザーは、タブレット４の上面に記入用紙１６を載置した状態で、該記入用紙１６の上にマーカ１７で文字や絵等を手書きする
と、マーカ１７から出るインクにより記入用紙１６の上に文字や絵等が描かれる
と共に、タブレット４からストロークデータ（手書きデータ）が出力され、このストロークデータはＣＰＵ６を介してメモリ７内に記憶され
【００４２】そして、ＣＰＵ６は、上記ストロークデータに基づいて、
ユーザーが書いた筆跡イメージと同じ画像イメージをディスプレイ１５に表示するための画像情報を作成し、この画像情報をメモリ７内に記憶させると共にディスプレイ１５へ送って表示させるように構成されている
　以上より、引用文献２（引用文献Ａ）には、次の技術事項が記載されているといえる。
「　外部のディスプレイ１５が接続されている手書き入力装置１４のタブレット４は、その上面に記入用紙１６を載置した状態で該記入用紙１６の上から手書き入力を実行するように構成され、
　ユーザーは、タブレット４の上面に記入用紙１６を載置した状態で、該記入用紙１６の上にマーカ１７で文字や絵等を手書きすると、マーカ１７から出るインクにより記入用紙１６の上に文字や絵等が描かれると共に、タブレット４からストロークデータ（手書きデータ）が出力され、このストロークデータはＣＰＵ６を介してメモリ７内に記憶され、
　ユーザーが書いた筆跡イメージと同じ画像イメージを外部のディスプレイ１５に表示するための画像情報を作成し、この画像情報をメモリ７内に記憶させると共に外部のディスプレイ１５へ送って表示させるように構成されること。」
（２）引用文献３（引用文献Ｊ）について
　当審拒絶理由に引用された引用文献３（原査定の引用文献Ｊ）には、図面とともに次の事項が記載されている。
「［００１１］
　以下、本発明による図形入力・表示装置の具体的な実施例を、図を用いて説明する。
　図１は、本発明による図形入力・表示装置、携帯端末を構成する、各機器間の接続と、具体的な動作イメージを示す説明図である。
　
白板を壁面やスクリーンに投射するデバイスは、インテリジェント液晶プロジェクタ10010である
会議の参加者は、各自タッチパネル及び同寸のディスプレイを一体としたタッチパネル付端末（10040〜10070）を有し、タッチパネルにペン（10041、10042）により、手書き線画の入力や編集を行う
　インテリジェント液晶プロジェクタ10010内のコントローラと、各タッチパネール付端末（10040〜10070）の間は、本実施例においては、無線で構成されるLAN（Local Area Network）により接続されている。このLAN環境は、一般のオフィスなどで共有利用されている無線LAN環境を用いてもよいが、本実施例では、コントローラ10030をルータとして、該コントローラからIPアドレスを提供されて接続される各タッチパネル付端末（10040〜10070）の間だけに接続環境がクローズされるLANにて構成される。会議開始時の動作は、既にコントローラにMACアドレス等が登録されている複数のタッチパネル付端末との間でのIPアドレスの配信や、会議参加者が持ち込んだタッチパネル付端末を、コントローラに設けた操作スイッチや、コントローラから液晶プロジェクタにより投影されたIDコードなどを端末に入力することで、通信接続環境が構築される。
　具体的な動作を以下に説明する。各タッチパネル付端末（10040〜10070）にペン（10041、10042）で入力された線は、この例において、タッチパネル付端末（10040）及びタッチパネル付端末（10070）の二台で、同時に線画の入力が行われている状態である。即ち、最終的に表示される白板イメージ上では、二本の線画が同時に伸び続けており、あたかも二名の参加者が同時に従来の白板に物理的に記入をしているのと同じ状態で表示される。
投射された白板イメージ10011と同一のイメージは、各タッチパネル付端末（10040〜10070）に同時に表示され、会議参加者は、最新の白板イメージを見ながら、そこに加筆・修正を行うことが出来
　投射及びタッチパネル付端末（10040〜10070）に表示されたイメージには、会議に参加している参加者の各タッチパネル付端末（10040〜10070）の状況を示すアイコン10012が重畳表示されている。本実施例では4台の端末が参加しているが、この例での会議システムでは最大6台の端末が参加可能であり、そのうち4番目と6番目は参加者が欠席もしくはタッチパネル付端末が稼動していない状態である。会議に参加している参加者が有する各タッチパネル付端末（10040〜10070）は、ここでは端末ID#1（10040）、端末ID#2（10050）、端末ID#3（10060）、端末ID#5（10070）として識別され、このうちID#1（10040）及びID#2（10050）の端末が、同時に線画を入力している状態となっている。
…（以下省略）」
「［００３６］
　無線LANルータ80062にて、各端末と接続し、接続した
端末より送信された入力された手書き線画を構成する線分データは、
白板アプリケーションに入力され
［００３７］
　同時に、複数の端末から受信した線分データの集合は、API70042、OS70050を経由して、無線LANドライバ70052により無線LANルータ70062からの電波発信にて、
各端末に再配布され
［００３８］
　図２で説明した線分毎のパケットデータに変換し、API70003、OS70010、LCDドライバ70013を経由して、LCDに表示する（70023）。同時に、API70002、OS70010、無線LANドライバ70012を経由して、無線LAN70022よりインテリジェント液晶プロジェクタに向けて送信される。」
「［００７７］
　図１４は、本発明による図形入力・表示装置、携帯端末において、
参加者が描画する線をリアルタイムで描画中も含めて表示せず、一定単位の線画をすべて描画してから、まとめて表示する方法
［００７８］
　図１４(a)は、ある端末の表示画面140000を示している。ここで、右側の描線140011は参加者がこの端末を用いてペン140011によって線画を入力している最中でああることを示す。ここで、この端末の動作モードは図１５にて後述する方法で、
SUBMITモードに切り替えてあり
この状態では、端末にて描画した線は、即時線分に分割されつつ送信されず、端末の操作者がひととおりの描画を完了してから、まとめて送信するまで端末は送信を行わない
［００７９］
　図１４(b)は、図１４(a)において参加者が描画中のときのプロジェクタの投影画面140030を示している。前記したように、端末から描画データが送信されていないので、プロジェクタにはなにも表示されない。
［００８０］
　図１４(c)は、図14(a)において
操作者が一連の描画を完了して、表示を希望して「SUBMIT」ボタンをペンや指でタッチした後の画面
はプロジェクタや他の端末でも同一であり
入力された一定端の線画が一括描画され
表示され
そのとき端末#2のユーザーが入力したことを示すために、ここでは図１０(c)に示したように、一括描画後に所定時間の間、端末#2が描画したことを示す吹き出しメッセージ140041が表示され
「［００８４］
　次の構成要素は、線の太さ、そして線の色で各々３種類を事例として記述そている。その次は、
「DRAW」モードと「SUBMIT」モードの切替ボタンで、SUBMITモードを選択することで、
一括描画を行うモードに切り替えることが出来る
　以上より、引用文献３（引用文献Ｊ）には、次の技術事項が記載されているといえる。
「　白板を壁面やスクリーンに投射するデバイスは、インテリジェント液晶プロジェクタ10010であり、
　会議の参加者は、各自タッチパネル及び同寸のディスプレイを一体としたタッチパネル付端末（10040〜10070）を有し、タッチパネルにペン（10041、10042）により、手書き線画の入力や編集を行い、
　投射された白板イメージ10011と同一のイメージは、各タッチパネル付端末（10040〜10070）に同時に表示され、会議参加者は、最新の白板イメージを見ながら、そこに加筆・修正を行うことが出来、
　端末より送信された入力された手書き線画を構成する線分データは、白板アプリケーションに入力され、各端末に再配布され、インテリジェント液晶プロジェクタに向けて送信され、
　参加者が描画する線をリアルタイムで描画中も含めて表示せず、一定単位の線画をすべて描画してから、まとめて表示する方法において、
SUBMITモードに切り替えてある状態では、端末にて描画した線は、即時線分に分割されつつ送信されず、端末の操作者がひととおりの描画を完了してから、まとめて送信するまで端末は送信を行わず、
　操作者が一連の描画を完了して、表示を希望して「SUBMIT」ボタンをペンや指でタッチした後の画面はプロジェクタや他の端末でも同一であり、入力された一定端の線画が一括描画され、表示され、そのとき端末#2のユーザーが入力したことを示すために、一括描画後に所定時間の間、端末#2が描画したことを示す吹き出しメッセージ140041が表示され、
　「DRAW」モードと「SUBMIT」モードの切替ボタンで、SUBMITモードを選択することで、一括描画を行うモードに切り替えることが出来ること。」
（３）引用文献４（引用文献Ｈ）について
　当審拒絶理由に引用された引用文献４（原査定の引用文献Ｈ）には、図面とともに次の事項が記載されている。
「【００１５】
　
手書入力システム１
読取装置２、電子ペン３、ＰＣ４等を含む
【００１６】
　
読取装置２は、左右一対のセンサ基板７Ｌ、７Ｒを主体とする
各センサ基板７Ｌ、７Ｒには、Ｘ軸方向及びＹ軸方向の各々に細長いループコイルが多数配列され
【００１７】
　電子ペン３は、公知の電磁誘導式の電子ペンであり、芯体３１、コイル３２、可変容量コンデンサ３３、基板３４、コンデンサ３５、及びインク収納部３６を備える。芯体３１は、電子ペン３の先端部に設けられている。芯体３１は図示外の弾性部材によって、電子ペン３の先端側に付勢されている。芯体３１の先端部は、電子ペン３の外部に突出している。芯体３１の後端側は、インクが収納されているインク収納部３６に接続されている。インク収納部３６は、芯体３１にインクを供給する。ユーザが電子ペン３を用いて筆記すると、筆記されたテキストがインクで形成される。」
「【００２３】
　センサ基板７Ｌ、７Ｒ上で電子ペン３による記入動作が行われた場合にストロークデータが取得される原理を、概略的に説明する。ＣＰＵ２１はＡＳＩＣ２８Ａ、２９Ａを制御して、
センサ基板７Ｌ、７Ｒの各々のループコイルに、一本ずつ特定の周波数の電流（励磁用送信電流）を流す
センサ基板７Ｌ、７Ｒの各々のループコイルから磁界が発生する
この状態で、
電子ペン３はセンサ基板７Ｌ、７Ｒに近接する
電子ペン３の共振回路は電磁誘導によって共振し、誘導磁界を生じる
【００２４】
　次に、ＣＰＵ２１はＡＳＩＣ２８Ａ、２９Ａを制御して、
センサ基板７Ｌ、７Ｒの各々のループコイルからの磁界の発生を停止させ
電子ペン３の共振回路から発せられる誘導磁界を、センサ基板７Ｌ、７Ｒの各々のループコイルで受信する
センサ基板７Ｌ、７Ｒの各々のループコイルに流れる信号電流（受信電流）を検出させ
受信電流に基づいて電子ペン３の位置が座標情報として検出される
　以上より、引用文献４（引用文献Ｈ）には、次の技術事項が記載されているといえる。
「　読取装置２、電子ペン３、ＰＣ４等を含む手書入力システム１において、
　読取装置２は、左右一対のセンサ基板７Ｌ、７Ｒを主体とし、各センサ基板７Ｌ、７Ｒには、Ｘ軸方向及びＹ軸方向の各々に細長いループコイルが多数配列され、
　センサ基板７Ｌ、７Ｒの各々のループコイルに、一本ずつ特定の周波数の電流（励磁用送信電流）を流すことによりセンサ基板７Ｌ、７Ｒの各々のループコイルから磁界が発生し、
　この状態で、電子ペン３はセンサ基板７Ｌ、７Ｒに近接すると、電子ペン３の共振回路は電磁誘導によって共振し、誘導磁界を生じ、
　センサ基板７Ｌ、７Ｒの各々のループコイルからの磁界の発生を停止させ、電子ペン３の共振回路から発せられる誘導磁界を、センサ基板７Ｌ、７Ｒの各々のループコイルで受信し、センサ基板７Ｌ、７Ｒの各々のループコイルに流れる信号電流（受信電流）を検出し、受信電流に基づいて電子ペン３の位置が座標情報として検出すること。」
３　原査定に引用された他の引用文献について
（１）引用文献Ｂについて
　原査定に引用された引用文献Ｂには、図面とともに次の事項が記載されている。
「【００１５】
　図１に示すように、
手書き入力システム１
電子筆記装置２と、いわゆる電磁誘導式の電子ペン３（筆記具）と、ディスプレイ４と、を備えている
【００１６】
　＜電子筆記装置＞
　電子筆記装置２は、平面視で上下方向に長い薄型の直方体状の形状を備えている。電子筆記装置２の右上部には、種々の情報を表示可能な小型のディスプレイ２１が設けられている。ディスプレイ２１の左側には、ユーザが電子筆記装置２を操作するための入力部２２が設けられている。ディスプレイ２１及び入力部２２の下側に、
電子筆記装置２の手前側の大部分を占めるように、凹部形状の載置部２４（保持手段）が設けられ
載置部２４には、紙媒体７０
が載置され、また当該載置部２４とほぼ同一の範囲となるように座標検出部２５が設けられ
座標検出部２５は、電子ペン３の位置を表す座標情報
を検出する
【００１７】
　＜電子ペン＞
　以下の説明では、電子ペン３において、ペン先３１が設けられている方向を先端方向という。また、先端方向の反対方向を後端方向という。
電子ペン３は、
芯３７と、検出スイッチ３３と、ボタン型の電池３４と、コイル３５と、基板３６と、を備え
芯３７は金属製であり、ペン先３１とインク収納部３２とで構成され
ユーザ（操作者）は、電子ペン３を使用して紙媒体７０に所望の文字や図形等を記載することができ
【００１８】
　芯３７の後端方向には、上記基板３６が設けられている。基板３６の先端部には検出スイッチ３３が実装され、基板３６の後端方向には上記電池３４が設けられている。電池３４は基板３６に接続されており、電池３４のマイナス側の電極は、基板３６上の配線を介し上記コイル３５に電気的に接続されている。また、電池３４のプラス側の電極は、基板３６上の配線を介し上記検出スイッチ３３に電気的に接続されている。検出スイッチ３３は、基板３６上の配線を介しコイル３５に電気的に接続されている。コイル３５は、電子ペン３の内部の先端部において芯３７の周囲に巻回されている。
【００１９】
　＜電子ペンの座標情報の検出＞
　ここで、
芯３７は、
弾性部材により常に先端方向に付勢されている
芯３７は、ユーザが紙媒体７０に文字等を記載する場合の押圧力によって、上記弾性部材の付勢力に抗して電子ペン３の内部にやや退入する
芯３７の後端部が検出スイッチ３３を押下し、検出スイッチ３３がオン状態になる
電池３４とコイル３５とが導通して電池３４からコイル３５に向かって電流が流れ、コイル３５に電流が流れることで磁界が発生する
【００２０】
　
電子筆記装置２の座標検出部２５は、
コイル３５から発生する磁界を電磁誘導に基づき検出する
【００２１】
　＜ディスプレイ＞
　なお、
ディスプレイ４は、電子筆記装置２に接続されており、ユーザが電子筆記装置２の載置部２４に載置した紙媒体７０の外観に相当する画像データや、ユーザによる紙媒体７０への記載内容に相当する画像データ（ストロークデータの集合体）を表示することができ
「【００２９】
　図４に、本実施形態で用いられる紙媒体７０の一例を示す。図示のように、この例では、
紙媒体７０
には、ユーザが所望の文字・図形等（以下適宜、単に「書き込み文字」という）Ｒを自由に記載可能なフリー書き込み領域７１と、紙媒体７０の上端部近傍に位置する複数の（この例では４つの）チェックボックス７２ａ，７２ｂ，７２ｃ，７２ｄと、紙媒体７０の下端部近傍に位置する少なくとも１つの（この例では２つの）チェックボックス７３ａ，７３ｂとが、設けられ
「【００３４】
　図４に示したように、
ユーザが、例えば上記チェックボックス７２ａ〜７２ｄのうち「予定」チェックボックス７２ｃにチェックを行い、かつ、「保存」チェックボックス７３ａにチェックを行う
と、ＣＰＵ２０１の制御によって、
上記書き込み文字Ｒに対応したストロークデータが、サーバＳＶへ送信されると共に、当該サーバＳＶの「メモ」フォルダＦ１、「ＴＯＤＯ」フォルダＦ２、「予定」フォルダＦ３、及び「その他」フォルダＦ４、のうちの上記選択された「予定」フォルダＦ３へと自動的に振り分けられ、保存される
　以上より、引用文献Ｂには、次の技術事項が記載されているといえる。
「　電子筆記装置２と、いわゆる電磁誘導式の電子ペン３（筆記具）と、ディスプレイ４と、を備える手書き入力システム１において、
　電子筆記装置２の手前側の大部分を占めるように、凹部形状の載置部２４（保持手段）が設けられ、載置部２４には、紙媒体７０が載置され、また当該載置部２４とほぼ同一の範囲となるように座標検出部２５が設けられ、座標検出部２５は、電子ペン３の位置を表す座標情報を検出し、
　電子ペン３は、芯３７と、検出スイッチ３３と、ボタン型の電池３４と、コイル３５と、基板３６と、を備え、芯３７は金属製であり、ペン先３１とインク収納部３２とで構成され、ユーザ（操作者）は、電子ペン３を使用して紙媒体７０に所望の文字や図形等を記載することができ、
　芯３７は、弾性部材により常に先端方向に付勢されており、芯３７は、ユーザが紙媒体７０に文字等を記載する場合の押圧力によって、上記弾性部材の付勢力に抗して電子ペン３の内部にやや退入し、芯３７の後端部が検出スイッチ３３を押下し、検出スイッチ３３がオン状態にり、電池３４とコイル３５とが導通して電池３４からコイル３５に向かって電流が流れ、コイル３５に電流が流れることで磁界が発生し、
　電子筆記装置２の座標検出部２５は、コイル３５から発生する磁界を電磁誘導に基づき検出し、
　ディスプレイ４は、電子筆記装置２に接続されており、ユーザが電子筆記装置２の載置部２４に載置した紙媒体７０の外観に相当する画像データや、ユーザによる紙媒体７０への記載内容に相当する画像データ（ストロークデータの集合体）を表示することができ、
　紙媒体７０には、ユーザが所望の文字・図形等（以下適宜、単に「書き込み文字」という）Ｒを自由に記載可能なフリー書き込み領域７１と、紙媒体７０の上端部近傍に位置する複数の（この例では４つの）チェックボックス７２ａ，７２ｂ，７２ｃ，７２ｄと、紙媒体７０の下端部近傍に位置する少なくとも１つの（この例では２つの）チェックボックス７３ａ，７３ｂとが、設けられ、
　ユーザが、例えば上記チェックボックス７２ａ〜７２ｄのうち「予定」チェックボックス７２ｃにチェックを行い、かつ、「保存」チェックボックス７３ａにチェックを行うと、ＣＰＵ２０１の制御によって、上記書き込み文字Ｒに対応したストロークデータが、サーバＳＶへ送信されると共に、当該サーバＳＶの「メモ」フォルダＦ１、「ＴＯＤＯ」フォルダＦ２、「予定」フォルダＦ３、及び「その他」フォルダＦ４、のうちの上記選択された「予定」フォルダＦ３へと自動的に振り分けられ、保存される、こと。」
（２）引用文献Ｃについて
　原査定に引用された引用文献Ｃには、図面とともに次の事項が記載されている。
「【０００１】
【発明の属する技術分野】この発明は、座標入力手段から発生する交番磁界により、座標入力シートに敷設された導線に発生する信号に基づいて上記座標入力手段の位置座標を読み取る
座標読取装置
「【０００９】
フレーム１１の前面右側には、操作部３０が設けられ
操作部３０には、
記憶されている筆記データをプリンタ２００
へ出力するために押すプリンタ出力ボタン３６と、記憶されている筆記データをＰＣ１００
へ出力するために押すＰＣ出力ボタン３７と
が設けられている
　以上より、引用文献Ｃには、次の技術事項が記載されているといえる。
「　座標読取装置において、
　フレーム１１の前面右側には、操作部３０が設けられ、操作部３０には、記憶されている筆記データをプリンタ２００へ出力するために押すプリンタ出力ボタン３６と、記憶されている筆記データをＰＣ１００へ出力するために押すＰＣ出力ボタン３７とが設けられていること。」
（３）引用文献Ｄについて
　原査定に引用された引用文献Ｄには、図面とともに次の事項が記載されている。
「【０００６】
　本発明は、上記の問題点を解決するためになされたものであり、他の端末装置において資料に付加された注釈の位置が表示範囲外である場合、注釈の受信を報せ、注釈の表示後に元の表示範囲に戻せるように、現在の表示範囲を記憶する処理をコンピュータに実行させる資料共有プログラム、
端末装置
「【００４９】
　次に、図６に戻り、Ｓ６７において、
新規に受信した注釈データに含まれる注釈領域の位置が、現在表示されている資料５の表示範囲７２外である場合
【００５０】
　ＣＰＵ１１は、
注釈の受信を報せる通知処理を行う
通知バー８１に通知内容を表示することによって、ユーザに対する通知を行う
　以上より、引用文献Ｄには、次の技術事項が記載されているといえる。
「　端末装置において、
　新規に受信した注釈データに含まれる注釈領域の位置が、現在表示されている資料５の表示範囲７２外である場合、注釈の受信を報せる通知処理を行い、通知バー８１に通知内容を表示することによって、ユーザに対する通知を行うこと。」
（４）引用文献Ｅについて
　原査定に引用された引用文献Ｅには、図面とともに次の事項が記載されている。
「【請求項１】
　
原寸大のコンテンツにおける基準の手書き文字のサイズを示す基準文字サイズ情報と第１の操作者の手書き文字のサイズを示す手書き文字サイズ情報とに基づいて、ディスプレイに表示する、前記第１の操作者が閲覧する、コンテンツの表示拡大率を算出し、出力するコンテンツ拡大率算出手段と、
　
前記表示拡大率に基づいた大きさで前記ディスプレイに前記コンテンツを表示させる表示内容制御手段とを含む
　
表示制御装置
（５）引用文献Ｆについて
　原査定に引用された引用文献Ｅには、図面とともに次の事項が記載されている。
「【要約】
【課題】
　通信にて、手書入力情報の送受信を３人以上で行う場合に、発信者の識別が困難である。
【解決手段】
　
手書き入力情報の送受信の際に、送信者の入力した座標ベクトル情報に加えて、送信者の端末の端末識別情報を併せて送信し、受信側の端末において端末識別情報と予め紐付けられた表示色で当該端末から送信された手書き入力情報を表示することにより、表示画面に表示される色が確認でき、当該情報の送信者を容易に識別すること
（６）引用文献Ｇについて
　原査定に引用された引用文献Ｇには、図面とともに次の事項が記載されている。
「【００３０】また、
入力装置２０からコンピュータ装置１０への入力データの伝送に際しては、入力された座標情報のみならず、色情報や、線の太さ情報、線種の情報等の属性情報を付加して伝送し
座標情報のみならず、色や線種、線の太さ等の属性情報も伝送されることから、ユーザは、自らが紙に記すものをそのまま、即ち、入力装置２０におけるペン３０の状態からそのまま色等の情報を伝送することが可能となり、多様な入力を簡易な操作によって実現すること
第６　当審拒絶理由についての判断
１　理由１（明確性要件違反）について
　本件補正により、
（１）本件補正前の請求項１に記載されていた「獲得」はすべて「取得」に補正され、
（２）本件補正前の請求項１に記載されていた「外部ディスプレイ」はすべて「外部
の
（３）本件補正前の請求項１、２、４及び９に記載されていた、「入力」の対象となる「手書き」はすべて「手書き入力」に補正された。
　以上のとおりであるから、当審拒絶理由の理由１（明確性要件違反）は、解消した。
２　理由２（進歩性欠如）について
（１）本願発明１について
ア　対比
　本願発明１と引用発明とを対比する。
（ア）引用発明の「ペン１５」と本願発明１の「デジタルペン」とは、「ペン」である点において共通する。
　また、引用発明の「手書き入力データ表示装置１０（１）」は、本願発明１の「電子デバイス」に相当する。
　また、引用発明の「ペン１５と手書き入力データ表示装置１０（１）とを含むシステム」は、「電子システム」といい得るものである。
　そうすると、引用発明の「ペン１５と手書き入力データ表示装置１０（１）とを含むシステム」と、本願発明１の「
デジタル
（イ）引用発明の「ペン１５」は、「コイル２５と、インクカートリッジ２６と、このインクカートリッジ２６に挿入されたペン先２７」を備え、かつ、引用発明は、「筆記パネル１４の筆記面にユーザがペン１５を用いて文字や図形などを筆記する構成」を備え、「筆記パネル１４」は、「筆記シート（例えば、ポリエチレンテレフタラート：ＰＥＴなどで構成される）１９、板状のパネル２０、センスコイル２１が敷設された枠形状の取付けパネル２２及び板状のバックパネル２３が順に積層されて構成され」る構造を備え、また、「ユーザがペン１５のペン先２７を筆記シート１９上に押しつけると内部のスイッチ３０がＯＮとなり、コイル２５より交番磁界（ＦＳＫ変調信号）が発生し、ストロークデータ入力部３１は、その交番磁界を受信することで手書き入力が開始されたと判断」する構成を備えることから、引用発明においては、「ペン１５」の「ペン先２７」を「筆記パネル１４」の筆記面となる「筆記シート１９」上に押しつけることにより、「ペン先２７」に挿入された「インクカートリッジ２６」内のインクにより「筆記シート１９」に対して「手書き入力」を開始するものである。
　ここで、引用発明の「筆記シート１９」は「手書き入力」の対象物、すなわち、「手書き入力対象物」である点において、本願発明１の「紙」と共通する。
　また、引用発明において、「筆記シート１９」に「手書き入力」するために使用される「ペン先２７」及び「インクカートリッジ２６」を「第１の手書き部」と称することは任意である。
　よって、引用発明の「筆記シート１９」に「手書き入力」するために使用される「ペン先２７」及び「インクカートリッジ２６」（「第１の手書き部」）と本願発明１の「紙に手書き入力するための第１の手書き部」とは、「手書き入力対象物に手書き入力するための第１の手書き部」である点において共通する。
（ウ）引用発明の「ペン１５」は、「インクカートリッジ２６と回路基板２８との間には、発振回路などに電源供給を行うための押しボタン式スイッチ３０が配置され、このスイッチ３０は、ペン先２７が筆記シート１９上に押しつけられて矢印Ｆ１方向に移動した場合にＯＮとなり、ペン１５によって筆記が行われる場合にコイル２５より交番磁界を発生させる」構成を備え、また、引用発明は、「ユーザがペン１５のペン先２７を筆記シート１９上に押しつけると内部のスイッチ３０がＯＮとなり、コイル２５より交番磁界（ＦＳＫ変調信号）が発生し、ストロークデータ入力部３１は、その交番磁界を受信することで手書き入力が開始されたと判断」する構成」を備えることから、前記（イ）を参酌すると、引用発明の「ペン１５」は、「ペン先２７」及び「インクカートリッジ２６」（「第１手書き部」）によって「手書き入力」が「筆記シート１９」に入力される間、「ペン１５」の「ペン先２７」が「筆記シート１９」に押しつけられる力、すなわち、「ペン先２７」に加えられる圧力によって作用する「スイッチ３０」を備えるものといえる。
　そうすると、引用発明の「ペン先２７」は、本願発明１の「チップ部分」に相当し、引用発明の「スイッチ３０」と本願発明１の「感圧センサ」とは、「圧力によって作用する手段」である点において共通する。
　よって、前記（ア）及び（イ）を参酌すると、引用発明の「ペン１５」と、本願発明の「前記第１の手書き部によって前記手書き入力が紙に入力される間、前記
デジタルペン
圧力を検知するための感圧センサ
ペン
圧力によって作用する手段
（エ）前記（イ）及び（ウ）を参酌すると、引用発明の「ペン１５」は、「ペン先２７」及び「インクカートリッジ２６」（「第１手書き部」）によって「手書き入力」が「筆記シート１９」に入力される間、「スイッチ３０」によって検知される「ペン先２７」に加えられる圧力に基づいて、電源が供給されることにより「交番磁界」を発生するための「コイル２５」を備えるものである。
　ここで、引用発明において、「コイル２５」に電源を供給することによって発生（誘導）される「交番磁界」は、本願発明１の「誘導磁界」に相当し、また、引用発明において、「手書き入力」に使用される「コイル２５」を「第２の手書き部」と称することは任意である。
　よって、前記（ア）ないし（ウ）を参酌すると、引用発明の「ペン１５」と、本願発明の「前記第１の手書き部によって前記手書き入力が前記
紙
手書き入力対象物
（オ）前記（イ）ないし（エ）をまとめると、引用発明と、本願発明１の
「　前記デジタルペンは、
　　
紙
　　前記第１の手書き部によって前記手書き入力が
紙
デジタルペン
圧力を検知するための感圧センサ
　　前記第１の手書き部によって前記手書き入力が前記
紙
感圧センサ
デジタルペン
とは、
「　前記ペンは、
　　
手書き入力対象物
　　前記第１の手書き部によって前記手書き入力が手書き入力対象物に入力される間、前記
ペン
圧力によって作用する手段
　　前記第１の手書き部によって前記手書きが前記
手書き入力対象物
圧力によって作用する手段
ペン
との構成を備える点において共通する。
（カ）引用発明の「手書き入力データ表示装置１０（１）」の「座標データ入力装置１１」の「（センス）コイル２１」は、「ペン１５より発生される交番磁界」と「磁気結合」することにより「電圧信号」を誘起するもの、すなわち、「交番磁界」を検出（センス）してその結果として「電圧信号」を出力するものであるから、本願発明１の「センサ部」に相当する。
　また、引用発明の「座標データ入力装置１１」の「筆記パネル１４」は、「筆記シート（例えば、ポリエチレンテレフタラート：ＰＥＴなどで構成される）１９、板状のパネル２０、センスコイル２１が敷設された枠形状の取付けパネル２２及び板状のバックパネル２３が順に積層されて構成」されたものであるから、「筆記シート１９」が「（センス）コイル２１」の上に配置されているといえる。
　よって、前記（イ）を参酌すると、引用発明の「手書き入力データ表示装置１０（１）」と、本願発明１の「センサ部であって、前記
紙
手書き入力対象物
（キ）引用発明の「手書き入力データ表示装置１０（１）」の「送信部（通信手段）３２」は、本願発明１の「通信部」に相当する。
（ク）引用発明の「手書き入力データ表示装置１０（１）」の「ストロークデータ記憶部（記憶手段）３４」は、本願発明１の「保存部」に相当する。
（ケ）引用発明の「手書き入力データ表示装置１０（１）」の「座標データ入力装置１１」の「操作部１８」（【図２】を参酌されたい。）及び「送信スイッチ」は、本願発明１の「物理ボタン」に相当する。
（コ）引用発明の「手書き入力データ表示装置１０（１）」の「ストロークデータ入力部３１」は、所定のサンプリング周期で「コイル２１」に誘起されている誘起電圧信号をＡＤ変換することにより「ペン１５」による「手書き入力」に応じた「座標データ」を取得するものである。
　前記（イ）ないし（エ）を参酌すると、当該「座標データ」は、「スイッチ３０」が「ペン先２７」に加えられる圧力を検知する間、「コイル２５」によって発生された「交番磁界」を検知する「（センサ）コイル２１」に基づいて、「（センサ）コイル２１」によって検知された「交番磁界」に対応するものといえる。
　そうすると、引用発明の「座標データ」及び「ストロークデータ入力部３１」はそれぞれ、本願発明１の「手書き情報」及び「制御部」に相当し、前記（イ）ないし（エ）を参酌すると、引用発明の「手書き入力データ表示装置１０（１）」と、本願発明１の「前記
感圧センサ
圧力によって作用する手段
（サ）上記（カ）ないし（コ）をまとめると、引用発明と本願発明１の
「　前記電子デバイスは、
　　センサ部であって、前記
紙
　　通信部と、
　　保存部と、
　　物理ボタンと、
　　
ユーザモーションを検知するモーションセンサと、
　　前記
感圧センサ
　を含み、」
とは、
「　前記電子デバイスは、
　　センサ部であって、前記
手書き入力対象物
　　通信部と、
　　保存部と、
　　物理ボタンと、
　　前記
圧力によって作用する手段
　を含み、」
との構成を備える点において共通する。
（シ）引用発明は、「ストロークデータ入力部３１は、座標データが取得される毎に順次データを送信し、同期表示制御部３５は、ストロークデータ入力部３１より順次送信されるデータに基づいて文字等を表示パネル１２ａにリアルタイムで表示するので、手書き入力された文字等は略リアルタイムで表示されるようになり、入力に対する表示の応答性が良好となり」との構成（以下、「構成Ａ」という。）を備える一方、「座標データは、必ずしも１ストローク毎に送信する方式に限らず、送信スイッチなどを設けて、ユーザが一連の文字列を入力し終えた時点で送信スイッチをオン操作すると、それら一連の文字列の座標データをまとめて送信するようにしても良い」との構成（以下、「構成Ｂ」という。）も備えている。
　よって、引用発明は、構成Ａを採用する場合、すなわち、取得された座標データを順次（リアルタイムに）送信（伝送）する場合には、座標データが取得される毎に、すなわち取得に応答して送信（伝送）し、一方、構成Ｂを採用する場合、すなわち、取得された座標データを順次（リアルタイムに）送信（伝送）しない場合には、ユーザが一連の文字列を入力し終えた時点で、すなわち、「ペン先２７」及び「インクカートリッジ２６」（「第１手書き部」）によって「手書き入力」が「筆記シート１９」に入力された後で、ユーザが「送信スイッチ」を選択することで、座標データを送信（伝送）するためのユーザ入力に応答して、座標データが送信（伝送）されるものといえる。
　また、引用発明は「手書き入力データ表示装置１０（１）〜１０（３）は通信回線（例えば、電話回線等）１３を介して互いに接続され」及び
「送信部（通信手段）３２は、ストロークデータ入力部３１において取得された座標データを、自身の受信部（通信手段）３３及び通信回線１３を介して他の手書き入力データ表示装置１０に送信するための通信インターフェイスであり、
　　受信部３３は、自身の送信部３２及び他の手書き入力データ表示装置１０より送信されたデータを受信するための通信インターフェイスであり、
　　受信部３３によって受信されたデータは、ストロークデータ記憶部（記憶手段）３４に書き込まれて記憶され、
　　同期表示制御部（制御手段）３５は、受信部３３が受信してストロークデータ記憶部３４に記憶された座標データに基づく文字等をリアルタイムで表示装置１２に表示させ」との構成を備えることから、「手書き入力データ表示装置１０（１）」の「送信部（通信手段）３２」から送信される「座標データ」は、他の「手書き入力データ表示装置」である「手書き入力データ表示装置１０（２）」及び「手書き入力データ表示装置１０（３）」によって受信されて、これらの「表示装置１２」に表示されることが予定されている。
　そして、「手書き入力データ表示装置１０（１）」から見ると、「手書き入力データ表示装置１０（２）」及び「手書き入力データ表示装置１０（３）」はいずれも「外部」にあるものであり、かつ、受信した「座標データ」を「表示装置１２」に表示する機能からすると「ディスプレイ装置」といい得るものであるから、「外部のディスプレイ装置」といい得るものである。
　以上より、引用発明と本願発明１の
「　前記取得された手書き情報は、
　　前記手書き情報をリアルタイムで伝送する
ように予め設定された
　　前記手書き情報をリアルタイムで伝送しない
ように予め設定された
紙
及び前記手書き情報の受信が完了していることを示すガイドメッセージ
とは、
「　前記取得された手書き情報は、
　　前記手書き情報をリアルタイム
で伝送する
　　前記手書き情報をリアルタイム
で伝送しない
手書き入力対象物
との構成を備える点において共通する。
イ　一致点、相違点
　したがって、本願発明１と引用発明との間には、次の点において一致ないし相違する。
［一致点］
「　
ペン
　前記
ペン
　　
手書き入力対象物
　　前記第１の手書き部によって前記手書き入力が
手書き入力対象物
ペン
圧力によって作用する手段
　　前記第１の手書き部によって前記手書きが前記
手書き入力対象物
圧力によって作用する手段
ペン
　前記電子デバイスは、
　　センサ部であって、前記
手書き入力対象物
　　通信部と、
　　保存部と、
　　物理ボタンと、
　　前記
圧力によって作用する手段
　を含み、
　前記取得された手書き情報は、
　　前記手書き情報をリアルタイム
で伝送する
　　前記手書き情報をリアルタイム
で伝送しない
手書き入力対象物
　電子システム。」
［相違点］
＜相違点１＞
　「ペン」が、本願発明１は「デジタルペン」であるのに対し、引用発明は「ペン１５」が「デジタルペン」とは特定されていない点。
＜相違点２＞
　「手書き入力対象物」が、本願発明１は「紙」であるのに対し、引用発明の「筆記シート１９」は、「例えば、ポリエチレンテレフタラート：ＰＥＴなどで構成される」ものであって「紙」とは特定していない点。
＜相違点３＞
　「圧力によって作用する手段」が、本願発明１は、「感圧センサ」であるのに対し、引用発明は、「スイッチ３０」である点。これに伴って、本願発明１の「第２の手書き部」は、「前記第１の手書き部によって前記手書きが前記紙に入力される間、前記感圧センサによって検知される前記デジタルペンのチップ部分に加えられる圧力に基づいて、誘導磁界を発生するための」ものであり、また、「制御部」が、「前記感圧センサが前記圧力を検知する間、前記第２の手書き部によって発生された前記誘導磁界を検知する前記センサ部に基づいて、前記センサ部によって検知された前記誘導磁界に対応する手書き情報を取得する」ものであるのに対し、引用発明の「コイル２５」及び「ストロークデータ入力部３１」は、「スイッチ３０」が「圧力」により作用している間に機能するものである点。
＜相違点４＞
　「前記手書き情報をリアルタイムで伝送する場合」及び「前記手書き情報をリアルタイムで伝送しない場合」が、それぞれ、本願発明１は、「前記手書き情報をリアルタイムで伝送するように
予め設定された
予め設定された
＜相違点５＞
　前記手書き情報をリアルタイムで伝送しない場合に、本願発明１は、「前記外部のディスプレイ装置」が「前記手書き情報」のみならず、「前記手書き情報の受信が完了していることを示すガイドメッセージ」を表示するのに対し、引用発明は、当該構成について特定していない点。
＜相違点６＞
　本願発明１に係る「電子デバイス」は、「ユーザモーションを検知するモーションセンサ」を備え、「前記モーションセンサによってユーザが前記紙をめくるモーションが検知された場合、その紙をめくるモーションが検知された時点までに取得された前記手書き情報を保存し、前記第２の手書き部によって発生された誘導磁界が再び検知された場合、その誘導磁界に対応する手書き情報を新たな手書き情報として取得する」という機能を備えるのに対し、引用発明は、これに対応する事項を特定していない点。
ウ　相違点についての判断
　事案に鑑みて、上記相違点６について先に検討するに、相違点６に係る本願発明１の構成は、「紙」が、「紙をめくるモーション」によってめくることができるような態様で「配置」されていることを前提とし、かつ、「紙をめくるモーション」が検出されたことを契機に取得済みの「手書き情報」の保存を行い、その後の「誘導磁界」の検出を契機として新たな「手書き情報」の取得を開始するというものである。
　しかしながら、引用文献２ないし４はいずれも、相違点６に係る本願発明１の構成を開示するものではなく、また、そのような構成が、本願優先日前の周知技術であったともいえない。
　加えて、引用発明の「筆記シート」が積層される「筆記パネル１４」は、「枠状のフレーム１７」に組み込まれたものであるから、これを、「（紙を）めくるモーション」によってめくることができるような態様で「配置」すると共に、「（紙を）めくるモーション」の検出により手書き情報の保存を行うように変更する動機付けが存在しない。
　よって、当業者といえども、相違点６に係る本願発明１の構成は容易に想到することができたものではない。
　したがって、他の相違点について判断するまでもなく、本願発明１は、当業者であっても引用発明、引用文献２ないし４に記載された技術的事項に基いて容易に発明をすることができたものであるとはいえない。
（２）本願発明２ないし９について
　本願発明２ないし９も、相違点６に係る本願発明１構成を備えるものであるから、本願発明１と同じ理由により、当業者であっても、引用発明、引用文献２ないし４に記載された技術的事項に基いて容易に発明をすることができたものであるとはいえない。
　以上のとおりであるから、当審拒絶理由の理由２（進歩性欠如）は、解消した。
第７　原査定についての判断
　本件補正により、補正後の請求項１ないし９は、前記相違点６に係る本願発明１の構成を有するものとなった。当該構成は、原査定における引用文献ＡないしＪ（当審拒絶理由における引用文献１ないし４を含む。）には記載されておらず、本願優先日前における周知技術でもないので、本願発明１ないし９は、当業者であっても、原査定における引用文献ＡないしＪに記載された発明に基いて容易に発明をすることができたものではない。
　したがって、原査定を維持することはできない。
第８　むすび
　以上のとおり、原査定の理由によって、本願を拒絶することはできない。
　他に本願を拒絶すべき理由を発見しない。
　よって、結論のとおり審決する。